(57)【要約】【課題】デバイス等の動作状況によって変化する消費電流に対応させて、精度よく異常発生を検出する電子機器を得る。【解決手段】バッテリ１１と、バッテリ１１の出力端子に接続してバッテリ１１の出力電流を検出する電流検出抵抗１３と、バッテリ１１から供給される電源電流により動作する表示部７と、前記表示部７の状態に依存しない基本閾値および前記表示部７の消費電流量に対応する補正閾値を記憶する記憶部６と、前記表示部７の消費電流量に応じた補正閾値を前記基本閾値に加算して電流閾値を設定する設定部２ａと、前記表示部７の動作を制御すると共に、前記電流検出抵抗１３の検出電流と前記設定部２ａが設定した電流閾値とを用いて異常電流の有無を判断する制御部２とを備える。【選択図】図１
2010110132.tif 000002
【特許請求の範囲】
【請求項１】
電池と、
前記電池の出力端子に接続して該電池の出力電流を検出する電流検出部と、
前記電池から供給される電源電流により動作する表示装置と、
前記表示装置の状態に依存しない基本閾値および前記表示装置の消費電流量に対応する補正閾値を記憶する記憶部と、
前記表示装置の消費電流量に応じた補正閾値を前記基本閾値に加算して電流閾値を設定する設定部と、
前記表示装置の動作を制御すると共に、前記電流検出部の検出電流と前記設定部が設定した電流閾値とを用いて異常電流の有無を判断する制御部と、
を備えることを特徴とする電子機器。
【請求項２】
前記記憶部は、前記表示装置に表示される画像の変化の度合に応じた補正閾値を記憶し、
前記設定部は、前記制御部が前記表示装置に動画を表示させるとき前記画像の変化の度合に応じた補正閾値を加味して前記電流閾値を設定することを特徴とする請求項１に記載の電子機器。
【請求項３】
前記制御部は、該電子機器の間欠動作に対応させて前記電流検出部の検出電流と前記設定部の設定した電流閾値とを用いた異常電流の検出処理を行うことを特徴とする請求項１または２に記載の電子機器。
【請求項４】
前記表示装置は、ＬＣＤ装置であり、
前記記憶部に記憶される補正閾値は、前記ＬＣＤ装置のバックライトの輝度に基づいて設定される補正閾値を含むことを特徴とする請求項１ないし３のいずれか一項に記載の電子機器。
【発明の詳細な説明】
【技術分野】
【０００１】
本発明は、電源電流を監視し、当該電流によって動作する装置の異常を検出する電子機器に関する。
【背景技術】
【０００２】
近年、市場に流通している携帯電話機に代表される電子機器には、様々なデバイスが搭載されている。これらの様々なデバイスは、それぞれ消費電流が異なる。
上記のような電子機器においては、複数の電源ラインを有しており、各々の電源ラインで上記のデバイスを含む負荷回路を動作させている。各電源ラインに各々接続される負荷回路を動作させるとき、いずれかの負荷回路等において不具合が生じると、他の正常な部分を保護すべく電源供給を遮断する機能を備える場合がある。
【０００３】
例えば、特許文献１に記載されている電源供給回路は、各電源ラインの電圧を監視し、この監視電圧の変化から負荷回路に短絡障害等が発生したことを検知すると、当該負荷回路の電源ラインを遮断し、他の負荷回路への影響を防いでいる。
上記の電源供給回路は、各々の電源ラインに挿入された遮断素子と、当該遮断素子の電源ラインをオン／オフする両端子間に接続された過電流検出用抵抗によって構成された遮断回路を備えている。遮断回路は、過電流検出用抵抗に過電流が流れると、このときの過電流検出用抵抗の両端電圧に応じて遮断素子が電源ラインを遮断するように構成されている。
【０００４】
【特許文献１】特開平７−２８８９３０号公報
【発明の開示】
【発明が解決しようとする課題】
【０００５】
しかしながら、例えば携帯電話機のように高機能化が図られ、電源構成も複雑化した場合には、異常電流の検出感度を良好にするように一定値の閾値を設定し、この閾値を用いて検出処理を行うと、各デバイス等の稼働状況に対応することが難しくなる。
詳しくは、デバイス毎に消費電流が異なり、刻々と変化するデバイスの動作状態に応じて正常な消費電流も変化し、上記の閾値を上回る消費電流が流れることもある。即ち、そのときの動作状態においては正常な消費電流であっても異常電流であるとみなされることがあるという問題点があった。
【０００６】
本発明は、かかる事情に鑑みてなされたものであり、その目的は、デバイス等の動作状況によって変化する消費電流に対応させて、精度よく異常発生を検出する電子機器を得ることにある。
【課題を解決するための手段】
【０００７】
本発明の第１の観点による電子機器は、電池と、前記電池の出力端子に接続して該電池の出力電流を検出する電流検出部と、前記電池から供給される電源電流により動作する表示装置と、前記表示装置の状態に依存しない基本閾値および前記表示装置の消費電流量に対応する補正閾値を記憶する記憶部と、前記表示装置の消費電流量に応じた補正閾値を前記基本閾値に加算して電流閾値を設定する設定部と、前記表示装置の動作を制御すると共に、前記電流検出部の検出電流と前記設定部が設定した電流閾値とを用いて異常電流の有無を判断する制御部とを備える。
【０００８】
好適には、前記記憶部は、前記表示装置に表示される画像の変化の度合に応じた補正閾値を記憶し、前記設定部は、前記制御部が前記表示装置に動画を表示させるとき前記画像の変化の度合に応じた補正閾値を加味して前記電流閾値を設定する。
【０００９】
好適には、前記制御部は、該電子機器の間欠動作に対応させて前記電流検出部の検出電流と前記設定部の設定した電流閾値とを用いた異常電流の検出処理を行う。
【００１０】
好適には、前記表示装置は、ＬＣＤ装置であり、前記記憶部に記憶される補正閾値は、前記ＬＣＤ装置のバックライトの輝度に基づいて設定される補正閾値を含む。
【発明の効果】
【００１１】
本発明によれば、動作状態に対応して精度よく異常電流を検出することができる。
【発明を実施するための最良の形態】
【００１２】
以下、この発明の実施の一形態を説明する。
＜実施形態＞
図１は、本発明の実施形態による電子機器の構成を示すブロック図である。この図は、電子機器の一例である携帯電話機１の構成を示している。携帯電話機１は、制御部２、操作部３、通信部４、音源ＩＣ５ａ、スピーカ５ｂ、記憶部６、表示部７、バッテリ１１、電源回路１２ａ，１２ｂ、電流検出抵抗（電流検出部）１３、ヒューズ１４、電流アンプ１５、ＩｒＤＡ近距離通信部１６等によって構成されている。
なお、図中の実線によるブロック間の結線は制御信号ラインを示し、図中の破線による結線は電流供給ラインを示す。
【００１３】
制御部２は、携帯電話機１の各部の動作制御を司るプロセッサ等から成り、後述する電流閾値を設定する設定部２ａを含んでいる。なお、設定部２ａを、制御部２とは別途設けたプロセッサなどにより構成してもよい。
操作部３は、複数のキースイッチやスライドスイッチなどからなり、ユーザの操作内容を示す信号を制御部２へ入力するように構成されている。
通信部４は、制御部２の制御に応じて、携帯電話機１の外部と無線通信を行うように構成されている。
【００１４】
音源ＩＣ５ａは、制御部２の制御に応じて所定の音声等を示す信号を生成するように構成されており、当該生成した音声信号等をスピーカ５ｂへ出力し、可聴音もしくは音声を出力するように接続構成されている。
記憶部６は、制御部２が用いる制御用プログラム、ユーザによって設定された動作モード等を示すデータ、携帯電話機１の使用履歴を示すデータ、メール等の文章を示すデータ、映像データ、また、電流検出の処理に用いるデータなどを記憶しているメモリである。
【００１５】
表示部７は、例えば、液晶表示画面およびバックライトを有するＬＣＤ装置であり、制御部２の制御に応じて文字や画像などを表示するように構成されている。なお、ここで例示した携帯電話機１は、表示部７としてメイン表示部とサブ表示部とを備えている。
バッテリ１１は、充電式の二次電池であり、例えば高電位側の出力端子に電流検出抵抗１３の一端を接続させている。
【００１６】
電流検出抵抗１３は、例えば２３．５［ｍΩ］の抵抗値を有し、前述のように一端をバッテリ１１に接続するとともに、他端を電源回路１２ａ，１２ｂの各入力端子に接続している。なお、上記の電源回路１２ｂの入力端子には、所定の電流値以上になると溶断するヒューズ１４を介して接続されている。
【００１７】
電流アンプ１５は、電流検出抵抗１３の両端電圧を入力し、この電圧値を増幅して、バッテリ１１から出力される電源電流値を示す信号を制御部２へ出力するように構成されている。
ＩｒＤＡ近距離通信部１６は、携帯電話機１の近傍に位置する他の装置と、制御部２の制御に応じて、赤外線を用いたデータの送受を行うように構成されている。
【００１８】
また、携帯電話機１は、図示を省略した音声入出力部を備えており、例えば、スピーカやマイクロホンなどを備え、ユーザの通話音声等を示す信号を制御部２へ入力するとともに、制御部２の制御に応じた通話音声等を出力するように構成されている。なお、上記の通話音声等を示す信号は、制御部２の制御により、通信部４が外部と無線通信を行うときに処理される。
【００１９】
また、携帯電話機１は、図示を省略した周辺機器として、例えば、カメラ、ワンセグメント放送受信チューナ、動画再生装置、音楽再生装置、ＳＤカードを用いた記憶装置、ユーザに着呼などを報知するバイブレータなどを備えて構成してもよい。
【００２０】
電源回路１２ａ，１２ｂは、各々複数の電圧を出力するように構成されており、後述するようにリニアレギュレータ（以下、ＬＤＯと記載する）やＤＣ／ＤＣコンバータを備えている。
電源回路１２ａは、例えば、操作部３へ出力電圧を供給するＬＤＯ３１、通信部４へ出力電圧を供給するＬＤＯ３２、音源ＩＣ５ａへ出力電圧を供給するＤＣ／ＤＣコンバータ３３、制御部２へ出力電圧を供給するＤＣ／ＤＣコンバータ３４等を備えている。
また、ＤＣ／ＤＣコンバータ３４は、出力電圧をＬＤＯ３５へ供給するように接続されている。ＬＤＯ３５は、記憶部６へ出力電圧を供給するように接続されている。
【００２１】
電源回路１２ｂは、例えば、ＤＣ／ＤＣコンバータ３６を備えており、前述のように電流検出抵抗１３およびヒューズ１４を介してバッテリ１１の出力電圧を入力するように接続されている。ＤＣ／ＤＣコンバータ３６は、出力電圧を表示部７へ供給する。
なお、ＩｒＤＡ近距離通信部１６には、電流検出抵抗１３およびヒューズ１４を介してバッテリ１１の電源電圧が供給される。
【００２２】
図１に例示した携帯電話機１は、表示側筺体２０と操作側筺体２１とを備え、これらの筺体の一端部をヒンジ部２２によって接続し、表示側筺体２０と操作側筺体２１が開閉可能なように構成されている。
【００２３】
表示側筺体２０には、例えば、表示部７、電源回路１２ｂ、ＩｒＤＡ近距離通信部１６などが配設されている。
操作側筺体２１には、例えば、制御部２、操作部３、通信部４、音源ＩＣ５ａ、スピーカ５ｂ、記憶部６、バッテリ１１、電源回路１２ａ、電流検出抵抗１３、ヒューズ１４、電流アンプ１５、ＬＤＯ３５などが配設されている。
なお、前述のヒューズ１４は、表示側筺体２０に配設されている表示部７、ＩｒＤＡ近距離通信部１６などの負荷回路や電源ラインに異常が発生し、この異常発生個所に流れる電流が増大することによって溶断する定格を有している。
【００２４】
図２は、本実施形態による携帯電話機の他の電源接続例を示す説明図である。この図は、携帯電話機１の他の電源接続例を示している。図１に示したものと同一あるいは相当する部分に同じ符号を使用し、その部分の重複説明を省略する。図２に示した各電源回路は、図１に示したものと同様に複数のＬＤＯやＤＣ／ＤＣコンバータを備えて構成されている。
図２に示した電子デバイス（Ａ）〜（Ｃ）、および、電子デバイス（１）〜（ｎ）は、例えば図１に示した各部に備えられ、また前述のように制御部２によって動作等が制御されるように接続構成されている。
【００２５】
電源回路１２ｂは、電子デバイス（Ａ）と電子デバイス（Ｂ）に対して、各々異なる電圧を供給するように接続されている。
ヒューズ１４と電源回路１２ｂの入力端子との接続点には、電子デバイス（Ｃ）が接続される。即ち、バッテリ１１の高電位側端子から、電流検出抵抗１３およびヒューズ１４を介した電圧が、電子デバイス（Ｃ）へ供給されるように接続されている。
【００２６】
電源回路１２ａは、前述のように各々異なる電圧を出力するように構成されており、各電圧を出力する端子に電子デバイス（１）〜（ｎ）が接続されている。なお、例えば電子デバイス（２）には、二つの異なる電圧が供給され、電子デバイス（３）には、上記の電子デバイス（２）へ供給されている一方の電圧が供給される。また、電子デバイス（４）には、電源回路１２ａから異なる二つの電圧が供給される。
【００２７】
このように、携帯電話機１は、バッテリ１１の出力電流を検出する電流検出抵抗１３を備え、制御部２が、携帯電話機１の電源電流値を認識することができるように構成されている。
【００２８】
次に動作について説明する。
［携帯電話機の動作］
携帯電話機１は、操作部３になされた操作内容に応じて制御部２が各部を制御し、通信部４を制御して外部とのデータ等の送受信を行い、当該データが示す音声を前述の音声入出力部から出力する。
また、音声入出力部へ入力された音声を所定のデータ形式に変換し、通信部４を用いて外部へ送信する。上記の通信動作を行うとき、通信先等の情報を表示部７に表示させる。
【００２９】
また、制御部２は、このような通信動作を行うとき、記憶部６に記憶されている制御プログラム、通信先などに関するデータ等を用いる。
携帯電話機１は、例えば、上記のような通信機能を備えており、また、図示を省略したカメラを用いた撮像機能などの各機能を備えている。ここでは、携帯電話機１を構成する上記の各部等によって実現される機能の動作説明を省略する。
【００３０】
前述のような動作を行っているとき、制御部２は、電流検出抵抗１３によって検出される電源電流を検出し、次に説明するような監視動作を行っている。なお、電流検出抵抗１３の両端電圧、即ち電流検出抵抗１３によって検出された電源電流値は、制御部２の認識可能な信号値となるように、電流アンプ１５によって例えば４４倍に増幅される。
【００３１】
［異常電流を検出する動作］
図３は、本実施形態の携帯電話機の動作を示すフローチャートである。
制御部２は、前述のように電流アンプ１５によって増幅された電圧値、即ち電流検出抵抗１３によって検出された電流値を読み取る（ステップＳＴ１０１）。
【００３２】
異常電流が生じる場合には、デバイス等のハードウエアにおいて障害が発生した場合、また、当該ハードウエアを動作させているソフトウエアにおいて障害が発生した場合がある。これらの障害が発生したときには、電流値が増大する場合や電流値が小さくなる場合があり、特に、電流値が小さくなる障害を検出するためには、小さな電流変化を精度よく検出することが要求される。
【００３３】
図１等に示したように、携帯電話機１は、電流検出抵抗１３の両端電圧から電源ラインの電流値を検出している。前述のように、低抵抗値の電流検出抵抗１３を、電源ラインに直列接続させてバッテリ１１から出力される電流値を検出することから、感度良く電流変化を検出することが可能になる。
また、前述のように低抵抗値の電流検出抵抗１３を電源ラインに直列接続させてバッテリ１１から出力される電流値を検出することから、各デバイスへ印加する電圧の降下を極力防ぐことが可能となる。
【００３４】
制御部２は、デバイスの状態により異常電流の検出処理に用いる閾値を補正する（ステップＳＴ１０２）。
制御部２は、携帯電話機１を構成する各部に行った制御から、各々の部分に備えられているデバイスの稼働状態を認識している。
そこで、設定部２ａは、上記のように制御部２が認識した各デバイス等の動作状況によって変化する消費電流を加味して、詳しくは後述するように異常電流検出処理に用いる電流閾値を設定する。
【００３５】
制御部２は、ステップＳＴ１０１の工程で取得した検出電流値と補正後の閾値、即ち上記の電流閾値とを比較する（ステップＳＴ１０３，ＳＴ１０４）。
制御部２は、検出電流値が上記の電流閾値と等しい、または電流閾値を超えていると判定したときには、当該電流閾値を超えた回数をカウントし、この回数を例えば制御部２自ら備える記憶手段に記憶する（ステップＳＴ１０５）。詳しくは、上記の記憶手段に記憶されている回数に“１”を加算し、インクリメントした値を最新の“閾値を超えた回数”として記憶させる。
【００３６】
前述のように、異常電流には、通常よりも電流値が増大する場合と、通常よりも減少する場合がある。これらの異常電流を検出するために、電流値が増大した場合の閾値と、電流値が減少した場合の閾値とを用いて、電流検出抵抗１３の両端電圧から読み取った電源電流値と比較するようにしてもよい。このときには、前述の閾値を超えた回数を、電流値が閾値よりも大きい場合と閾値よりも小さい場合に分けてカウントする。
【００３７】
制御部２は、ステップＳＴ１０４の工程において、読み取った検出電流値が電流閾値と等しくなく、また電流閾値を超えてもいないと判定したときには、前述の記憶手段に記憶されている電流閾値を超えた回数をリセットする（ステップＳＴ１０６）。また、処理タイミングを調整するウエイト処理を行い（ステップＳＴ１０７）、ステップＳＴ１０１の工程に戻り、以降の各工程を同様に行う。
【００３８】
上記のステップＳＴ１０７の工程において、制御部２は、消費電流の監視動作、即ち、検出電流値と電流閾値とを用いた異常電流の有無を判断する処理動作を所定の時間間隔、もしくは一定周期毎に行うように上記の処理動作を次に開始するタイミングを調整する。
このタイミング調整は、例えば、携帯電話機１が行っている、いずれかの間欠動作に対応させて行う。
換言すると、制御部２は、上記の間欠動作に対応させて電流検出抵抗１３を用いた検出電流を取得し、この検出電流値と前述の電流閾値とを用いて異常電流の有無の判断を行っている。制御部２は、ステップＳＴ１０８の工程において、例えば０．５［ｍｓｅｃ］のウエイト時間を設けて上記の異常電流の検出処理を行っている。
【００３９】
このように、制御部２は、所定の時間間隔、あるいは所定の周期毎に電流検出動作を行い、電流検出に要する消費電流を抑制する。
【００４０】
制御部２は、ステップＳＴ１０５の工程において、検出電流値が電流閾値を超えた回数を記憶させた後、この電流閾値を超えた回数がＮ回であるか否かを判定する（ステップＳＴ１０８）。
制御部２は、前述の電流閾値を超えた回数をカウントすることにより、各電源ラインに生じているノイズ、各信号等から発せられたノイズ、各部が動作を開始するときなどに生じる突入電流等による誤判定を排除するようにしている。即ち、前述の“Ｎ回”は、上記のような誤判定を抑制することができる適当な回数である。また、このように複数回の閾値超えに対応して処理を行うことにより、制御部２自らを構成するデバイス等においてリードエラーなどが発生したときの誤判定に基く誤った制御を、制御部２が行うことを防ぐことも可能になる。
【００４１】
ステップＳＴ１０８の工程において、制御部２は、電流閾値を超えた回数がＮ回であると判定したときには、デバイスの動作状態もしくは設定状態、検出電流値等の詳細情報をエラーログとして例えば記憶部６へ記憶させる（ステップＳＴ１０９）。このエラーログは、操作部３等に所定の操作がなされたとき、または、障害解析装置等が外部接続されたとき、当該外部接続された装置へ出力される。または、制御部２の制御により表示部７などへ表示するようにしてもよい。
【００４２】
制御部２は、前述のようにエラーログを記憶させた後、例えば、携帯電話機１をシャットダウン状態とする処理を実行する（ステップＳＴ１１０）。また、このとき、音源ＩＣ５ａを制御して所定の警告音をスピーカ５ｂから出力させ、ユーザに携帯電話機１の異常を警告するようにしてもよい。また、表示部７に所定の画面等を表示させ、異常を警告するようにしてもよい。また、さらに、携帯電話機１をリセット状態に制御し、正常な状態に復帰させるようにしてもよい。
【００４３】
前述のステップＳＴ１０８の工程において、制御部２は、電流閾値を超えた回数がＮ回ではない、即ちＮ回未満であると判定したとき、前述の説明と同様なウエイト処理を行い（ステップＳＴ１０７）、ステップＳＴ１０１の工程に戻って以降の各工程を同様に行う。
【００４４】
［閾値の補正処理］
図４は、本実施形態による携帯電話機の動作に用いる閾値を示す説明図である。この図は、設定部２ａが、当該携帯電話機１を構成する各デバイス等の稼働状況などに応じて異常電流の検出処理に用いる閾値を補正する補正値（補正閾値）を示している。具体的には、上記の核状況等に対応させた補正値の名称、当該補正値を使用する条件、および、各条件において補正に用いる電流値を図表に例示したものである。
なお、図４に示した各補正値を使用する条件ならびに補正に用いる電流値は、携帯電話機１の構成ならびに機能等に対応させた一例を示したものであり、図示した条件や数値に限定されない。
【００４５】
記憶部６には、予め、図４に示したような各条件ならびに補正値などを記憶させておく。また、記憶部６には、異常電流を検出する際に用いる閾値として、基本閾値を記憶させておく。
上記の基本閾値は、制御部２が、携帯電話機１における異常電流の有無を判断する基準となる値を有し、携帯電話機１を構成するデバイス等の状況に依存しない値を有する。
【００４６】
図５は、本実施形態による携帯電話機の動作を示す説明図である。この図は、携帯電話機１の動作状態、換言すると、デバイス等の状況により変化した消費電流に応じて、異常電流の検出処置に用いる閾値を補正する動作の一例を示している。図中の閾値は、前述の基本閾値に該当する。
【００４７】
設定部２ａは、制御部２から現在の各デバイス等の状況を表す情報を取得する。次に、記憶部６に記憶されている基本閾値を読み出し、さらに上記のデバイス等の状況を表す情報に対応する補正値を記憶部６から読み出す。
図５に例示した補正処理は、表示部７を成すＬＣＤ装置のバックライトを、図４に例示した“設定３”の輝度で点灯させ、またさらにワンセグチューナを起動させて視聴中の状態における閾値補正を表している。
【００４８】
ここで説明に用いる基本閾値は、１５０［ｍＡ］の値を有している。この基本閾値を取得した設定部２ａは、さらに、記憶部６に記憶されている、上記のデバイス等の状態に対応する補正値を取得する。
具体的には、図４に示した各補正値の中から、上記の動作状況に対応する、補正値名称が“メイン液晶バックライト補正３”および“ワンセグ補正”の各補正値、即ち、“１３０［ｍＡ］”および“２００［ｍＡ］”の各値を取得する。
設定部２ａは、基本閾値に上記の各補正値を加算し、ここで例示した動作状況に対応する電流閾値を求める。上記の動作状況では、基本閾値および上記の各補正値を加算した４８０［ｍＡ］の値を有する電流閾値が設定される。
【００４９】
携帯電話機１は、表示部７としてＬＣＤ装置を備えている。ＬＣＤ装置のバックライトは、当該携帯電話機１において比較的消費電流量が大きい。
また、表示部７の表示明るさは、ユーザ等の操作／設定等により携帯電話機１の周囲の明るさに応じて頻繁に変更される。
具体的にはＬＣＤ装置のバックライトの輝度、即ち点灯光量が頻繁に変更され、これにともなってＬＣＤ装置、もしくは携帯電話機１の消費電流が著しく変化する。
そのため、電流検出抵抗１３を用いて電流値を検出する時点のＬＣＤ装置の輝度／光量に対応する補正値を用いて電流閾値を設定すると、異常電流の検出精度が向上する。
【００５０】
図６は、本実施形態による携帯電話機の動作を示す説明図である。この図は、携帯電話機１の表示部７に表示される動画を表しており、経時変化する画像を示している。図示した動画は、画像Ｓ１が画像Ｓ１０に変化するものであり、その途中には画像Ｓ２から画像Ｓ９の順に画面表示される。
【００５１】
制御部２が表示部７を制御して動画を表示させたときには、動画の画像が大きく変化する程、消費電流が増大する。図６に示したような動画を表示させたときには、例えば画像Ｓ２から画像Ｓ３へ移行するときには、表示画像の変化量が少ないことから、消費電流量は小さい。逆に、画像Ｓ９から画像Ｓ１０へ移行するときには、表示画像の変化量が大きく、消費電流量が大きくなる。
【００５２】
そこで、表示部７に順次表示させる画像の変化の度合に対応させて補正値を各々設定し、これらの補正値を記憶部６に記憶させておく。
制御部２が表示部７を制御して動画を表示する際には、設定部２ａは、前述のように電流閾値を設定した後、さらに記憶部７に記憶されている上記の画像の変化の度合に対応させた補正値（補正閾値）を加算して、実際に異常電流の検出に用いる電流閾値を求める。
【００５３】
具体的には、制御部２が、動画表示の制御を行うとき、当該動画の画像データから、画像の変化量を抽出する。設定部２ａは、この画像の変化量を示す情報を制御部２から取得し、前述のように画像の変化の度合に対応させた補正値を記憶部６から取得して電流閾値を求める。
このように動画表示を行う際に、適宜、画像の変化量に対応させて電流閾値を設定し、この電流閾値を用いて適確に異常電流の有無の判断を行う。
【００５４】
以上のように、本実施形態によれば、バッテリ１１の端子に接続された低抵抗値の電流検出抵抗１３を用いて、消費電流を検出する。制御部２は、前述の検出電流値を所定の閾値と比較し、検出電流値が閾値を超えた回数をカウントする。このカウントした回数が所定の回数になったとき異常電流が検出されたと判定するようにした。
このようにすることによって、精度よく電流変化を検出することができる。また、バッテリ１１に直接接続されている電源ラインの電流を監視するだけで良く、部品コストを抑制するとともに、実装スペースを抑えることができる。
【００５５】
また、複数回の閾値超えにより異常電流と判定することにより、電源ラインのノイズ、他の信号線に存在するノイズ、突入電流などの影響を抑えることができ、誤判定を防ぐことができる。また、制御部２を構成するデバイス等のリードエラーによる誤判定も防ぐことができる。
また、低抵抗値の電流検出抵抗１３を用いて異常電流を検出することにより、閾値を超えた電流値が、正常な消費電流よりも大きくなった場合でも、小さくなった場合でも検出することができる。即ち、ハードウエアによる障害ならびにソフトウエアによる障害を検知することができる。
【００５６】
また、制御部２が異常判定を行ったときのデータログを記憶部６へ記憶するようにしたので、不具合箇所の解析を容易に行うことができる。
また、制御部２が異常判定を行ったとき、ユーザに異常を警告して当該携帯電話機１をシャットダウン状態に制御することにより、障害の拡大を抑制し、またユーザに不具合の存在を報知することができる。
【００５７】
また、ＬＣＤ装置などの状況に応じて設定された補正値を用いて、異常電流の検出処理に用いる電流閾値を補正するようにしたので、動作状態等により変化する消費電流に対応して異常電流の検出処理を行うことができる。
また、動画表示を行う際には、動画の画像変化の度合に応じて電流閾値の補正を行うようにしたので、動画表示中に変動する消費電流に対応させて異常電流の検出処理を行うことができる。
【００５８】
なお、本実施形態においては、表示部７としてＬＣＤ装置を例示して説明したが、本発明に用いられる表示部７は上記のような表示装置に限定されない。例えば、表示部７として、有機ＥＬ表示装置であってもよい。この場合、図４におけるバックライト補正は、例えば「光強度補正」となる
【図面の簡単な説明】
【００５９】
【図１】本発明の実施形態による電子機器の構成を示すブロック図である。
【図２】本実施形態による携帯電話機の他の電源接続例を示す説明図である。
【図３】本実施形態の携帯電話機の動作を示すフローチャートである。
【図４】本実施形態による携帯電話機の動作に用いる閾値を示す説明図である。
【図５】本実施形態による携帯電話機の動作を示す説明図である。
【図６】本実施形態による携帯電話機の動作を示す説明図である。
【符号の説明】
【００６０】
１…携帯電話機、２…制御部、２ａ…設定部、３…通信部、３ａ…アンテナ、４…操作部、５ａ…音源ＩＣ、５ｂ…スピーカ、６…記憶部、７…表示部、１１…バッテリ、１２ａ，１２ｂ…電源回路、１３…電流検出抵抗、１４…ヒューズ、１５…電流アンプ、１６…ＩｒＤＡ近距離通信部、２０…表示側筺体、２１…操作側筺体、２２…ヒンジ部、３１，３２，３５…ＬＤＯ、３３，３４，３６…ＤＣ／ＤＣコンバータ。
【図１】
2010110132.tif 000003
【図２】
2010110132.tif 000004
【図３】
2010110132.tif 000005
【図４】
2010110132.tif 000006
【図５】
2010110132.tif 000007
【図６】
2010110132.tif 000008